【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】データ通信システム及びデータ通信装置
【手続補正２】
【補正対象書類名】明細書
【補正対象項目名】特許請求の範囲
【補正方法】変更
【補正の内容】
【特許請求の範囲】
【請求項１】  データを送信するソースと、前記データを受信するディスティネーションと、前記ソースと前記ディスティネーションとの間の通信を管理するコントローラとを含むデータ通信システムであって、
ネットワークの初期設定に伴って中断された前記データの送信を、前記ソースと前記ディスティネーションとの交渉に基づき、前記データの一部から再開することを特徴とするデータ通信システム。
【請求項２】  ディスティネーションにデータを送信する送信手段と、
前記ディスティネーションの有するメモリの所定の領域を指定する第１の情報を格納する格納手段と、
バスリセットに応じて前記ディスティネーションから通知される第２の情報と前記第１の情報とを用いて、送信すべきデータの一部を選択する選択手段とを有することを特徴とするデータ通信装置。
【請求項３】  ソースから送信されるデータを受信する受信手段と、
ネットワークの初期設定後、前記データの一部が格納されたメモリ空間を指定するアドレスを前記ソースに通知する通知手段とを有することを特徴とするデータ通信装置。
【請求項４】  ディスティネーションにデータを送信する送信手段と、
前記ディスティネーションの有するメモリの所定の領域を指定する第１の情報を格納する格納手段と、
ネットワークの初期設定後、送信の中断された前記データの一部が格納されるメモリを指定する第２の情報と前記第１の情報とを用いて、送信すべきデータの一部を選択する選択手段とを有することを特徴とするデータ通信装置。
【請求項５】  ソースから送信されるデータを受信する受信手段と、
ネットワークの初期設定後、受信を中断した前記データを廃棄することなく、前記ソースから送信される前記データの一部を待機するように制御する制御手段とを有することを特徴とするデータ通信装置。
【請求項６】  データを送信するソースと、前記データを受信するディスティネーションと、前記ソースと前記ディスティネーションとの間の通信を管理するコントローラとを含むデータ通信システムであって、
ネットワークの初期設定に伴って中断された前記データの送信を、前記コントローラと前記ソースとの交渉に基づき、前記データの一部から再開することを特徴とするデータ通信システム。
【請求項７】  コントローラによりディスティネーションとの通信が管理されるデータ通信装置であって、
ネットワークの初期設定後、送信を中断するデータを格納するメモリ空間を指定するアドレスを前記コントローラに通知する通知手段と、
前記コントローラからの指示に応じて、前記アドレスに対応するデータからの送信を再開する送信手段とを有することを特徴とするデータ通信装置。
【請求項８】  データを送信するソースと、前記データを受信するディスティネーションと、前記ソースと前記ディスティネーションとの間の通信を管理するコントローラとを含むデータ通信システムであって、
ネットワークの初期設定に伴って送信の中断されたデータを、前記ソースと前記ディスティネーションとの間で特定し、前記特定されたデータから送信を再開させることを特徴とするデータ通信システム。
【請求項９】  ディスティネーションにデータを送信する送信手段と、
バスリセットによって送信の中断されたデータを、前記ディスティネーションとの間で特定し、前記特定されたデータから転送を再開させるように制御する制御手段とを有することを特徴とするデータ通信装置。
【請求項１０】  ディスティネーションの有するメモリ空間の一部を指定するアドレスを用いて、データを転送するソースと、
前記アドレスにより指定されたメモリ空間の一部に前記データを格納するディスティネーションと、
前記ソースと前記ディスティネーションとの間のデータ転送を管理するコントローラとを有し、
ネットワークの初期設定に伴って前記データの転送が中断された場合、前記ソースの管理するアドレスを用いて前記データの一部から転送を再開することを特徴とするデータ通信システム。
【請求項１１】  ディスティネーションの有するメモリ空間の一部を指定するアドレスを用いて、データを転送するソースと、
前記アドレスにより指定されたメモリ空間の一部に前記データを格納するディスティネーションと、
前記ソースと前記ディスティネーションとの間のデータ転送を管理するコントローラとを有し、
ネットワークの初期設定に伴って前記データの転送が中断された場合、前記ディスティネーションから指示されたアドレスを用いて前記データの一部から転送を再開することを特徴とするデータ通信システム。
【請求項１２】  ディスティネーションの有するメモリ空間の一部を指定するアドレスを用いて、データを転送する手段と、
ネットワークの初期設定に伴って前記データの転送が中断された場合に、管理しているアドレスを用いて前記データの一部から転送を再開するように制御する手段とを有することを特徴とするデータ通信装置。
【請求項１３】  ソースから転送されたデータを、前記ソースにより指定されたメモリ空間の一部に格納する手段と、
ネットワークの初期設定に伴って前記データの転送が中断された場合に、前記データの転送の再開に必要なアドレスを通知することなく、前記データの一部から転送を再開するように制御する手段とを有することを特徴とするデータ通信装置。
【請求項１４】  ディスティネーションの有するメモリ空間の一部を指定するアドレスを用いて、データを転送する手段と、
ネットワークの初期設定に伴って前記データの転送が中断された場合に、前記ディスティネーションから指示されたアドレスを用いて前記データの一部から転送を再開するように制御する手段とを有することを特徴とするデータ通信装置。
【請求項１５】  ソースから転送されたデータを、前記ソースにより指定されたメモリ空間の一部に格納する手段と、
ネットワークの初期設定に伴って前記データの転送が中断された場合に、前記ソースに対して前記メモリ空間の一部を指定するアドレスを通知する手段とを有することを特徴とするデータ通信装置。
【請求項１６】  ソースに対してディスティネーションの有するメモリ空間の一部を指定するアドレスを通知すると共に、データの転送の開始を指示する手段と、
ネットワークの初期設定に伴って前記データの転送が中断された場合に、前記メモリ空間に格納されたデータの一部を廃棄することなく、前記データの転送を再開するように制御する手段とを有することを特徴とするデータ通信装置。
【請求項１７】  ソースに対してディスティネーションの有するメモリ空間の一部を指定するアドレスを指示すると共に、データの転送の開始を指示する手段と、
ネットワークの初期設定に伴って前記データの転送が中断された場合に、前記ソースに前記メモリ空間の一部を指定するアドレスを指示する手段とを有することを特徴とするデータ通信装置。
【手続補正３】
【補正対象書類名】明細書
【補正対象項目名】００１６
【補正方法】変更
【補正の内容】
【００１６】
【課題を解決するための手段】
本発明に係るデータ通信システムの一つは、データを送信するソースと、前記データを受信するディスティネーションと、前記ソースと前記ディスティネーションとの間の通信を管理するコントローラとを含むデータ通信システムであって、ネットワークの初期設定に伴って中断された前記データの送信を、前記ソースと前記ディスティネーションとの交渉に基づき、前記データの一部から再開することを特徴とする。
また、本発明に係るデータ通信システムの一つは、データを送信するソースと、前記データを受信するディスティネーションと、前記ソースと前記ディスティネーションとの間の通信を管理するコントローラとを含むデータ通信システムであって、ネットワークの初期設定に伴って中断された前記データの送信を、前記コントローラと前記ソースとの交渉に基づき、前記データの一部から再開することを特徴とする。
また、本発明に係るデータ通信システムの一つは、データを送信するソースと、前記データを受信するディスティネーションと、前記ソースと前記ディスティネーションとの間の通信を管理するコントローラとを含むデータ通信システムであって、ネットワークの初期設定に伴って送信の中断されたデータを、前記ソースと前記ディスティネーションとの間で特定し、前記特定されたデータから送信を再開させることを特徴とする。
また、本発明に係るデータ通信システムの一つは、ディスティネーションの有するメモリ空間の一部を指定するアドレスを用いて、データを転送するソースと、前記アドレスにより指定されたメモリ空間の一部に前記データを格納するディスティネーションと、前記ソースと前記ディスティネーションとの間のデータ転送を管理するコントローラとを有し、ネットワークの初期設定に伴って前記データの転送が中断された場合、前記ソースの管理するアドレスを用いて前記データの一部から転送を再開することを特徴とする。
また、本発明に係るデータ通信システムの一つは、ディスティネーションの有するメモリ空間の一部を指定するアドレスを用いて、データを転送するソースと、前記アドレスにより指定されたメモリ空間の一部に前記データを格納するディスティネーションと、前記ソースと前記ディスティネーションとの間のデータ転送を管理するコントローラとを有し、ネットワークの初期設定に伴って前記データの転送が中断された場合、前記ディスティネーションから指示されたアドレスを用いて前記データの一部から転送を再開することを特徴とする。
【手続補正４】
【補正対象書類名】明細書
【補正対象項目名】００１７
【補正方法】変更
【補正の内容】
【００１７】
本発明に係るデータ通信装置の一つは、ディスティネーションにデータを送信する送信手段と、前記ディスティネーションの有するメモリの所定の領域を指定する第１の情報を格納する格納手段と、バスリセットに応じて前記ディスティネーションから通知される第２の情報と前記第１の情報とを用いて、送信すべきデータの一部を選択する選択手段とを有することを特徴とする。
また、本発明に係るデータ通信装置の一つは、ソースから送信されるデータを受信する受信手段と、ネットワークの初期設定後、前記データの一部が格納されたメモリ空間を指定するアドレスを前記ソースに通知する通知手段とを有することを特徴とする。
また、本発明に係るデータ通信装置の一つは、ディスティネーションにデータを送信する送信手段と、前記ディスティネーションの有するメモリの所定の領域を指定する第１の情報を格納する格納手段と、ネットワークの初期設定後、送信の中断された前記データの一部が格納されるメモリを指定する第２の情報と前記第１の情報とを用いて、送信すべきデータの一部を選択する選択手段とを有することを特徴とする。
また、本発明に係るデータ通信装置の一つは、ソースから送信されるデータを受信する受信手段と、ネットワークの初期設定後、受信を中断した前記データを廃棄することなく、前記ソースから送信される前記データの一部を待機するように制御する制御手段とを有することを特徴とする。
また、本発明に係るデータ通信装置の一つは、コントローラによりディスティネーションとの通信が管理されるデータ通信装置であって、ネットワークの初期設定後、送信を中断するデータを格納するメモリ空間を指定するアドレスを前記コントローラに通知する通知手段と、前記コントローラからの指示に応じて、前記アドレスに対応するデータからの送信を再開する送信手段とを有することを特徴とする。
また、本発明に係るデータ通信装置の一つは、ディスティネーションにデータを送信する送信手段と、バスリセットによって送信の中断されたデータを、前記ディスティネーションとの間で特定し、前記特定されたデータから転送を再開させるように制御する制御手段とを有することを特徴とする。
また、本発明に係るデータ通信装置の一つは、ディスティネーションの有するメモリ空間の一部を指定するアドレスを用いて、データを転送する手段と、ネットワークの初期設定に伴って前記データの転送が中断された場合に、管理しているアドレスを用いて前記データの一部から転送を再開するように制御する手段とを有することを特徴とする。
また、本発明に係るデータ通信装置の一つは、ソースから転送されたデータを、前記ソースにより指定されたメモリ空間の一部に格納する手段と、ネットワークの初期設定に伴って前記データの転送が中断された場合に、前記データの転送の再開に必要なアドレスを通知することなく、前記データの一部から転送を再開するように制御する手段とを有することを特徴とする。
また、本発明に係るデータ通信装置の一つは、ディスティネーションの有するメモリ空間の一部を指定するアドレスを用いて、データを転送する手段と、ネットワークの初期設定に伴って前記データの転送が中断された場合に、前記ディスティネーションから指示されたアドレスを用いて前記データの一部から転送を再開するように制御する手段とを有することを特徴とする。
また、本発明に係るデータ通信装置の一つは、ソースから転送されたデータを、前記ソースにより指定されたメモリ空間の一部に格納する手段と、ネットワークの初期設定に伴って前記データの転送が中断された場合に、前記ソースに対して前記メモリ空間の一部を指定するアドレスを通知する手段とを有することを特徴とする。
また、本発明に係るデータ通信装置の一つは、ソースに対してディスティネーションの有するメモリ空間の一部を指定するアドレスを通知すると共に、データの転送の開始を指示する手段と、ネットワークの初期設定に伴って前記データの転送が中断された場合に、前記メモリ空間に格納されたデータの一部を廃棄することなく、前記データの転送を再開するように制御する手段とを有することを特徴とする。
また、本発明に係るデータ通信装置の一つは、ソースに対してディスティネーションの有するメモリ空間の一部を指定するアドレスを指示すると共に、データの転送の開始を指示する手段と、ネットワークの初期設定に伴って前記データの転送が中断された場合に、前記ソースに前記メモリ空間の一部を指定するアドレスを指示する手段とを有することを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】